(57)【要約】      （修正有）【課題】材料の使用量を抑制可能な谷樋板を使用できる谷部構造、及びその谷部構造の施工効率を向上し得る谷差し部材を提供する。【解決手段】  棟方向の異なる二つの傾斜屋根１０１ａ、１０１ｂの谷面１０３ａ、１０３ｂ上に谷樋板１０４を設置するとともに、その谷樋板の両側部上方に斜断面１０５ａ、１０５ｂを接近させ、斜断谷瓦１０７ａ、１０７ｂを葺設する。次いで斜断谷瓦の上に、コーキング材を介して、谷差し部材５０を葺く。谷差し部材は、斜断谷瓦を被覆する平面が略矢絣模様状に形成されている本体と、その本体の短幅部に取付け可能な三次元構造体とからなる。谷差し部材が斜断瓦に葺かれたとき、三次元構造体の頭部隠蔽部は斜断谷瓦の頭部を隠蔽する。【選択図】図１１
2007138459.tif 000002
【特許請求の範囲】
【請求項１】
棟方向の異なる二つの傾斜屋根（１０１ａ、１０１ｂ）の下地要素である下地材（１０２ａ、１０２ｂ）と、それらの下地材が形成する谷面（１０３ａ、１０３ｂ）の上に設置される谷状の谷樋板（１０４）と、その谷樋板の両側部上方まで斜断面が競り出すように前記下地材上に葺設される斜断谷瓦（１０７ａ、１０７ｂ）と、前記斜断谷瓦の少なくとも一部分を被覆するように前記斜断谷瓦に葺設される谷差し部材（５０）とからなる建物の傾斜屋根間に形成される谷部構造において、前記斜断谷瓦の斜断面（１０５ａ、１０５ｂ）同士を接近させるとともに、前記斜断谷瓦と谷差し部材との間にコーキング材（１２０ａ、１２０ｂ）を介在させたことを特徴とする二つの傾斜屋根間の谷部構造。
【請求項２】
棟方向の異なる二つの傾斜屋根（１０１ａ、１０１ｂ）の下地材が形成する谷面（１０３ａ、１０３ｂ）の上に設置される谷状の谷樋板（１０４）の上方において、その谷樋板の両側部上方まで斜断面（１０５ａ、１０５ｂ）が競り出すように、前記下地材上に葺設される斜断谷瓦（１０７ａ、１０７ｂ）の少なくとも一部分を被覆する、平面が略矢絣模様状に形成されている本体（６０）と、その本体のＶ字形凹部（Ａ）をなす短幅部（６１）に取付け可能な取付け部（７１ａ、７１ｂ）及びその取付け部とともに三次元的に一体形成され、前記斜断谷瓦の頭部を隠蔽可能にする頭部隠蔽部（７２）の二つの要素によって構成される三次元構造体（７０）とからなる二つの傾斜屋根間の谷部に使用される谷差し部材。
【発明の詳細な説明】
【技術分野】
【０００１】
本発明は、二つの傾斜屋根間の谷部構造及びこれに使用される谷差し部材に関するものである。
【背景技術】
【０００２】
図１７及び図１８に示すように、従来から棟方向の異なる二つの傾斜屋根１ａ、１ｂとの間に形成される谷部Ｖは、次のような構造を有している。すなわち、傾斜屋根１ａ、１ｂの下地要素である野地板２ａ、２ｂと、それらの野地材２ａ、２ｂが形成する谷面３ａ、３ｂの上に設置される谷状の谷樋板４と、その谷樋板４の両側部上方まで斜断面５ａ、５ｂが競り出すように、前記野地板２ａ、２ｂ上に桟木６ａ、６ｂに引っ掛けて葺設される斜断谷瓦７ａ、７ｂと、それら斜断谷瓦７ａ、７ｂに、それらの少なくとも一部分を被覆するように、葺設される谷差し部材８とから構成されている。
【０００３】
そして、この谷部構造において、傾斜屋根１ａ、１ｂに降水した雨水は、最終的に斜断谷瓦７ａ、７ｂから谷樋板４に集められて流下するようになっており、斜断谷瓦７ａ、７ｂ同士の斜断面５ａ、５ｂの間隔ｄは比較的大きく、従って、谷樋板４の横幅ｗも、図１８及び図１９に示すように総じて大きい。
【０００４】
そのため、斜断谷瓦７ａ、７ｂを野地板２ａ、２ｂ上に固定する場合、斜断谷瓦７ａ、７ｂを桟木６ａ、６ｂに係止させるとともに釘を使用して固定してはいるが、斜断谷瓦７ａ、７ｂには、それが使用される箇所によっては、釘を使用する部位が存在しなくなるので、斜断谷瓦７ａ、７ｂの位置決めが困難になる。
【０００５】
そこで、谷部Ｖを上部から覆って傾斜屋根１ａ、１ｂの見栄えを良好に維持するために使用される谷差し部材８として、図２０に示す形状・構造の部材（公知技術）が提案されている（特開２００２−２７６０９３号公報）。すなわち、一つの短幅部９にＶ字形凹部Ａを有する板状本体１０と、その本体１０が他の短幅部１１側において切欠き形成された二つの舌片の折曲げ部１２に挿入・固定可能なスライド部材２０とからなる構造の谷差し部材８が提案されている。
【０００６】
この谷差し部材８を図１８に示した一対の斜断谷瓦７ａ、７ｂに被覆する場合、それらの斜断谷瓦７ａ、７ｂの上に本体１０を載せて傾斜屋根１ａ、１ｂの棟側にスライドさせるとともに、本体１０において前記Ｖ字形凹部Ａ側の短幅部９の裏面側に形成された横溝状の瓦頭部隠蔽部１３の内側に前記斜断谷瓦７ａ、７ｂの頭部を挿入して瓦頭部隠蔽部１３により隠蔽する。
【０００７】
次いで、本体１０において他の短幅部１１側の折曲げ部１２に挿入・固定したスライド部材２０上に、前記斜断谷瓦７ａ、７ｂの１段上位に葺設される上位斜断谷瓦（図示なし）を載せるとともに、スライド部材２０の下流端側で上を向けて帯状に形成されている帯状係止片２１に、上位斜断谷瓦を係止させる。最後に上位斜断谷瓦の上に前記谷差し部材８と同じ形状・構造の（図２０において１点鎖線に描かれている）上位谷差し部材３０を載せてそれを前記棟側にスライドさせるとともに、その瓦頭部隠蔽部３３の裏側平行片３３ａを前記本体１０とスライド部材２０との間に挿入する。
【特許文献１】特開２００２−２７６０９３号公報
【発明の開示】
【発明が解決しようとする課題】
【０００８】
前記公知技術は前記谷部の外観を良好にできるという効果を発揮しているが、なお、次のような解決すべき課題を擁している。第一に、公知技術は前記谷部を流下する雨水を全部最終的には谷樋板４により集水させているので、谷樋板４は広幅に形成しなければならず、その結果、谷樋板４を製造する材料費の抑制には限度がある。第二に、スライド部材２０に帯状係止片２１を設ける必要があるので、スライド部材２０の曲げ加工が必要であるばかりでなく、上位谷差し部材３０の瓦頭部隠蔽部３３を上位斜断谷瓦の頭部に周りこませる際に、スライド部材２０を瓦頭部隠蔽部１３側へ一旦スライドさせて、瓦頭部隠蔽部３３の裏側平行片３３ａを前記本体１０とスライド部材２０との間に挿入しなければならないという煩雑さがある。
【０００９】
第三に、公知技術の谷差し部材８の本体１０においては、それを金属板から製作する過程で瓦頭部隠蔽部１３の中央部に隙間ができるという問題がある。図面を参照しながら詳細に説明すると、まず、図２１及び図２２に示すように、金属板材料から前記本体１０を展開した形状の加工板１４を切り出して、二つの短幅部のうち、短幅部がＶ字形になっている短幅部９の中央に長手方向の切欠き１５を１本形成するとともに、短幅辺が長手方向と直角になっているもう一つの短幅部１１に前記同様の切欠き１６を複数本形成する。
【００１０】
次に、図２３に示すように、短幅部９をその端面１７から所定幅を以って内側に認識される仮想上の屈曲箇所ａで直角に裏側に屈曲する。同様に短幅部９をその端面１７から所定幅を以って内側に認識される仮想上の屈曲箇所ｂで直角に裏側に屈曲する。すると、加工板１４には、図２４に示すように、本体１０の瓦頭部隠蔽部１３が形成されるが、加工板１４はまだ樋状になっていないので、これを、図２５に示すように、曲げ加工して樋状にする。すると、前記切欠き１５が存在していた切欠き端が開いて、本体１０に形成された瓦頭部隠蔽部１３に隙間１８ができる。隙間１８ができると、谷差し部材８が谷部に葺設されたとき、その外観が損なわれるだけでなく、隙間１８から風雨が斜断谷瓦１ａ、１ｂの裏側に入り込むという問題がある。
【００１１】
そこで本発明者は、上記の問題を解消し得る二つの傾斜屋根間の谷部構造及びこれに使用される谷差し部材を提案すべく、鋭意、検討した結果、前記谷部を流下する雨水を谷樋板に集水させるという考え方を放棄して、雨水を谷差し部材と斜断谷瓦との共働作用により流下させるという技術思想の基に、この技術思想を具体化すべく、鋭意検討して本発明を完成した。
【００１２】
従って、本発明の課題は、材料の使用量を抑制可能な小形の谷樋板を使用できる二つの傾斜屋根間の谷部構造及び谷差し部材を提供するとともに、その谷部構造の施工効率を向上し得る構造・形状の谷差し部材を提供し、さらにその谷差し部材の外観を向上及び谷差し部材の上に葺設される斜断谷瓦の納まり具合の向上を図ることにある。
【課題を解決するための手段】
【００１３】
本発明は、前記の課題を解決するために、棟方向の異なる二つの傾斜屋根の下地要素である下地材と、それらの下地材が形成する谷面の上に設置される谷状の谷樋板と、その谷樋板の両側部上方まで斜断面が競り出すように前記下地材上に葺設される斜断谷瓦と、前記斜断谷瓦の少なくとも一部分を被覆するように前記斜断谷瓦に葺設される谷差し部材とからなる建物の傾斜屋根間に形成される谷部構造において、前記斜断谷瓦の斜断面同士を接近させるとともに、前記斜断谷瓦と谷差し部材との間にコーキング材を介在させるという手段を採用する。
【００１４】
上記の谷部構造において、前記斜断谷瓦の斜断面同士を接近させているので、前記谷面において斜断谷瓦間の間隔は当然に狭くなり、それらの間で降下する雨水を受ける谷樋板の短幅は公知技術のそれより狭くても十分雨水を受けることが可能になる。その結果、谷樋板の短幅、すなわち谷樋板を製作するときの金属板材料を少なくできる。
【００１５】
また、前記斜断谷瓦と谷差し部材との間にコーキング材を介在させたので、前記谷部を流下する雨水のうち、谷差し部材の外側を流下する雨水はコーキング材に遮られて、谷樋板に流下する雨水は非常に少なくなる。従って、谷樋板の短幅、すなわち谷樋板を製作するとき使用される金属板材料を少なくできる。
【００１６】
なお、本発明において、「斜断谷瓦」とは、棟方向の異なる二つの傾斜屋根の下地要素である下地材が形成する谷面の上に設置される瓦のうち、谷樋板の両側部に沿って斜断された斜断面を有する瓦を意味する。また、「谷差し部材」とは谷樋板の上方において斜断谷瓦を被覆する谷状部材であって、その上端部側が斜断谷瓦とその上位に葺設される斜断瓦との間に挿入される雨水流下部材を意味する。
【００１７】
本発明は前記の課題を解決するために、棟方向の異なる二つの傾斜屋根の下地材が形成する谷面の上に設置される谷状の谷樋板の上方において、（Ａ）その谷樋板の両側部上方まで斜断面が競り出すように、前記下地材上に葺設される斜断谷瓦の少なくとも一部分を被覆する、平面が略矢絣模様状に形成されている本体と、その本体のＶ字形凹部をなす短幅部に取付けられる取付け部及びその取付け部とともに三次元的に一体形成され、前記斜断谷瓦の頭部を隠蔽可能にする瓦頭部隠蔽部の二つの要素によって構成される三次元構造体とからなる谷差し部材を前記二つの傾斜屋根間の谷部構造に使用する。
【００１８】
本発明において前記谷差し部材は、公知技術と同様に二つの要素、すなわち本体と三次元構造体とから構成されるとともに、本体は平面が略矢絣模様状に形成されており、傾斜屋根の棟側に位置する端幅部には公知技術の折曲げ片に相当する突出部が存在しないが、前記谷差し部材は、前記斜断谷瓦の斜断面同士を接近させて、谷樋板の短幅により谷樋板と斜断谷瓦の重なりが少なくなり、斜断谷瓦の大部分は桟木（１０６ａ、１０６ｂ）上にあるため、桟木により位置決め可能となり、納まりも向上する。その結果、本体の傾斜屋根の棟側に位置する短幅部に公知技術のスライド部材のような斜断谷瓦の位置決め手段を講ずる必要がなく、ひいては上位斜断谷瓦の納まり具合を良好にできる。なお、ここに「平面が略矢絣模様状に形成されている」とは、横断面がＶ字形の樋状をなす本体に平行光線を投影して得られる平面上の二つの短幅辺のうち、一つの短幅辺が窪んでＶ字形をなし、他の短幅辺が逆Ｖ字形になって突出しているという意味である。
【００１９】
また、前記三次元構造体は、前記本体のＶ字形凹部をなす下端面部に取付けされる取付け部及びその取付け部とともに三次元的に一体形成された斜断谷瓦の頭部を隠蔽可能にするための瓦頭部隠蔽部の二つの要素からなっているので、その三次元構造体は確実に本体に固定されるとともに斜断谷瓦の頭部を隠蔽して傾斜屋根の谷部の外観を良好にする。ここで「三次元構造体」とは、金属板のような二次元構造部材を所定の形状に切欠いてから、その一部分を三次元方向に所定の範囲に屈曲形成して得た構造体を意味する。
【発明の効果】
【００２０】
本発明は上記の手段を採用することにより、材料の使用量を抑制可能な小形の谷樋板を使用できる二つの傾斜屋根間の谷部構造及び谷差し部材を提供できるとともに、その谷部構造の施工効率を向上し得る構造・形状の谷差し部材の提供が可能になる。
【発明を実施するための最良の形態】
【００２１】
次に、図面を参照しながら、本発明の最良の実施形態について詳述する。最初に、本発明に係る二つの傾斜屋根間の谷部構造に使用される谷差し部材について詳述すると、それは、後述する棟方向の異なる二つの傾斜屋根の下地材が形成する谷面の上に設置される谷状の谷樋板の上方において、その谷樋板の両側部上方まで斜断面が競り出すように、前記斜断谷瓦の上に設置される。
【００２２】
図１〜図４に示すように、本発明に係る谷差し部材５０は、平面が隣接する二つの傾斜谷瓦の表面を被覆する本体６０と、その本体６０のＶ字形凹部Ａをなす短幅部６１に取付けられて、隣接する二つの傾斜谷瓦の頭部を被覆する三次元構造体７０とから構成されている。
【００２３】
本体６０は、略矢絣模様状の平面形状をなす樋状部材であり、その平行な二つの長辺部６２、６３には、ハンドリング上の安全性を考慮して、所定幅を以って平行に裏面側に曲げ加工されている（図２及び図４を参照）。ただし、前記長辺部６２、６３のうち、前記短幅部６１寄りの部位は、他の部位より広い幅を持って裏側に曲げ形成されており、裏側に曲げ形成されて現出した本体の一部分は本体６０に三次元構造体７０を取り付けるための挟持部６４になっている。さらにもう一つの短幅部６５は逆Ｖ字形をなして中央が突出している。また、短幅方向の中央において長手方向には屈曲部６６が形成されており、その屈曲部６６を中心にして、本体６０は、長辺部６２、６３側が上に向くＶ字形横断面を形成している。
【００２４】
次に、本発明に係る三次元構造体７０は、本体６０に取付け可能な一対の三角形板状体からなる取付け部７１ａ、７１ｂ及びそれらの取付け部７１ａ、７１ｂとともに三次元的に一体形成された瓦頭部隠蔽部７２とから構成されているが、瓦頭部隠蔽体７２には、公知技術の本体の製作過程に採用される切欠きに起因して形成されるような隙間が存在しない。これは、三次元構造体７０の製作過程において金属板材料の特異な裁断方法を本発明が採用しているからである。
【００２５】
具体的にこれを図５〜図１０に基づいて説明すると、前記製作過程で、まず、図５に示す１枚の金属板材料９０から図６に示す加工板９１を切り出す。すなわち、瓦頭部隠蔽部７０の要部となる「く」字形に屈曲した短冊形の仮想上の屈曲面部９２を有しているとともに、その長辺部のうち、内側に１８０度以内の角度を以って屈曲している仮想上の長辺部９３に、取付け部７１ａ、７１ｂとなる一対の二等辺三角形状の角形面部９４ａ、９４ｂを備え、さらに外側に１８０度より大きな角度を以って屈曲している仮想上の長辺部９５に、後述する斜断谷瓦の尻部とその１段上位に葺設される上位斜断谷瓦の頭部との間に挿入される一対の帯状面部９６ａ、９６ｂを備えた加工板９１を切り出す。なお、一対の帯状面部９６ａ、９６ｂは、仮想上の長辺部９５から所定の幅の以って延出した部分に切欠き９７を設けることにより形成される。
【００２６】
続いて、図９に示すように、屈曲面部９２を前記切欠き９７が存在する位置でＶ字形に屈曲させて、谷差し部材５０の凹部Ａを形成する。すると、前記屈曲面部９２には屈曲部９８ができるが、そこには公知技術のような隙間が形成されない。次いで、図８に示すように、長辺部９５において前記帯状面部９６ａ、９６ｂを後方に屈曲面部９２に対して直角になるように曲げ形成した後、他の長辺部９３において前記角形面部９４ａ、９４ｂを後方に屈曲面部９２に対して直角になるように曲げ形成すると、図１０に示した形状・構造の三次元構造体７０が形成される。
【００２７】
このようにして、加工板９１の角形面部９４ａ、９４ｂが本体６０に対する三次元構造体７０の取付け部７１ａ、７１ｂとなって相応の機能をし、屈曲面部９２と帯状面部９６ａ、９６ｂが三次元構造体７０の瓦頭部隠蔽部７２となって相応の機能をする。なお、加工板９１における屈曲面部９２等の構成要素を曲げ加工して、三次元構造体７０を形成するまでの過程において、前記構成要素を曲げる順序は、前記した順序に限定されず、例えば、帯状面部９６ａ、９６ｂを最初に曲げ形成してもよい。
【００２８】
このような形状・構造の本体６０に三次元構造体７０を結合して本発明に係る谷差し部材５０を形成する場合、図２の矢印に示す向きに、三次元構造体７０の取付け部７１ａ、７１ｂを、本体６０を構成する挟持板６４とその上に重なる本体６０の主要板（前記挟持板に対比してこのように呼称する）との間に挿入して、図１及び図４に示す形状・構造の谷差し部材６０を完成する。
【００２９】
次に、本発明に係る谷部構造について説明する。図１１に示すように、棟方向の異なる二つの傾斜屋根１０１ａ、１０１ｂの下地要素である下地材、すなわち野地板１０２ａ、１０２ｂには、谷面１０３ａ、１０３ｂが形成されている。そして、その谷面１０３ａ、１０３ｂに図１２に示す形状・構造の谷樋板１０４が固定されるが、この谷樋板１０４は公知技術のそれに比較して約０．４倍とその短幅Ｗが狭くなるように形成されている。さらに野地板１０２ａ、１０２ｂの上に桟木１０６ａ、１０６ｂが所定間隔をおいて複数本固定された後、それらの桟木１０６ａ、１０６ｂに公知の桟瓦が葺設されるが、図１３に示すように、棟方向の異なる二つの傾斜屋根１０１ａ、１０１ｂにおいて、前記谷樋板１０４の近くでは、複数枚の桟瓦を斜めに切断又は破断し、得られた斜断面１０５ａ、１０５ｂが谷樋板１０４の両側部上方まで競り出させて並べることが可能なように加工する必要がある。本発明においてこのように桟瓦を斜めに切断又は破断して、棟方向の異なる二つの傾斜屋根１０１ａ、１０１ｂの谷部に使用する瓦を、前記したように、「斜断谷瓦」と称する。
【００３０】
本発明において、このような斜断谷瓦１０７ａ、１０７ｂの斜断面１０５ａ、１０５ｂが谷樋板１０４の両側部上方まで競り出すように、斜断谷瓦１０７ａ、１０７ｂを傾斜屋根１０１ａ、１０１ｂの軒先側から棟側に向かって順次積み上げてゆくのであるが、その際、予め葺設に必要な斜断谷瓦１０７ａ、１０７ｂを作っておいてもよいし、一対の斜断谷瓦１０７ａ、１０７ｂを葺設してから、その１段上位に葺設する上位斜断谷瓦を逐次作るようにしてもよい。
【００３１】
このように、軒先側において斜断面１０５ａ、１０５ｂが谷樋板１０４の両側部上方まで競り出すように葺設されたら、図１４に示すように、斜断谷瓦１０７ａ、１０７ｂ上の斜断面１０５ａ、１０５ｂ寄りの部位に谷樋板１０４に沿ってコーキング材１２０ａ、１２０ｂを施す。次いで、本発明に係る谷差し部材５０を斜断谷瓦１０７ａ、１０７ｂの上に載せ、棟側に僅かに滑らせると、谷差し部材５０の瓦頭部隠蔽部７２が、図３及び図１５に示すように斜断谷瓦１０７ａ（図３において斜断谷瓦１０７ｂが省略されている）の頭部を回り込んでその全部又は一部分を隠蔽する。
【００３２】
前記と同様にしてさらに斜断谷瓦１０７ａ、１０７ｂの上に上位斜断谷瓦１０８ａ、１０８ｂを葺いたら、それらの上にコーキング材１２０ａ、１２０ｂを施した後、前記同様に谷差し部材５０を葺設するが、このとき、上位斜断谷瓦１０８ａ、１０８ｂの頭部と下位にある斜断谷瓦１０７ａ、１０７ｂとの間に谷差し部材５０の瓦頭部隠蔽部７２の裏側平行片７２ａを挿入する必要がある。以上にようにして連続して挿入が可能となり、棟側の最上位に葺設される谷差し部材５０の本体６０の短幅部６５は、最後に棟部材（図示なし）に固定される。
【００３３】
このようにして完成した本発明に係る棟部構造においては斜断面１０５ａ、１０５ｂ間の間隔が公知技術のそれより狭いので、その間に浸入する雨水に備えて設置される谷樋板の横幅を狭くすることができる。その結果、谷樋板を製作するのに必要な材料の使用量を抑制できる。
【００３４】
また本発明は、谷樋板と斜断谷瓦の重なりが少なく、斜断谷瓦面積の大部分は桟木上にあって位置決めが可能となり、施工効率、納まりを向上させることが出来る。
【００３５】
本発明に係る谷部構造においては、コーキング材を使用して谷差し部材５０を斜断谷瓦１０７ａ、１０７ｂ上に固定するとともに、雨水を谷樋板上に流入しないようにしたので、耐風性能の向上を図ることが可能であるとともに谷部における雨水の漏洩がより抑制された谷部構造を提供できる。
【００３６】
本発明に係る谷差し部材において瓦頭部隠蔽部には外部に露出する隙間がないので、谷部構造の概観を良好にするとともに斜断谷瓦１０７ａ、１０７ｂの裏面側に対する風雨の浸入がない。
【００３７】
本発明は、その根本的技術思想を踏襲し発明の効果を著しく損なわない限度において、前記実施態様の一部を変更して実施できる。例えば、谷差し部材の本体と三次元構造体は、それぞれ１枚の金属原材料を使用して適宜裁断加工と屈曲変形させて構成するとともに、本体に対して三次元構造体を雨水の漏洩を生じさせないように取付けが可能であれば、それらの構成要素、例えば、角形面部や帯状面部の形状を種々変えることができる。本発明に係る谷差し部材を金属以外の材料、例えば合成樹脂やセラミックで製造することができる。
【産業上の利用可能性】
【００３８】
本発明は、二つの傾斜屋根間の谷部構造の施工に広く利用される。
【図面の簡単な説明】
【００３９】
【図１】本発明に係る谷差し部材の斜視図である。
【図２】同じく谷差し部材の分解斜視図である。
【図３】複数個の谷差し部材の葺設状態を示す斜視図である。
【図４】谷差し部材の裏面を示す斜視図である。
【図５】谷差し部材を製作するのに使用される金属原材料の上面図である。
【図６】前記金属原材料を裁断して得た加工板の平面図である。
【図７】前記加工板を曲げ加工した状態を示す上面図である。
【図８】同じく平面図である。
【図９】前記加工板の一部分を曲げ形成した状態を示す上面図である。
【図１０】本発明に係る谷差し部材の三次元構造体の斜視図である。
【図１１】本発明に係る谷部構造の概略正面図である。
【図１２】前記谷部構造に使用される谷樋板の斜視図である。
【図１３】前記谷部構造において斜断谷瓦が葺設された状態を示す部分正面図である。
【図１４】谷部構造の施工段階を示す部分正面図である。
【図１５】同様に途中の施工段階を示す部分正面図である。
【図１６】さらに進行した施工段階を示す部分正面図である。
【図１７】公知技術に係る谷部構造の概略正面図である。
【図１８】同じ主要部を示す概略正面図である。
【図１９】公知技術に使用される谷樋板の部分斜視図である。
【図２０】同じく谷差し部材の斜視図である。
【図２１】公知技術の谷差し部材を製作するため加工板の平面図である。
【図２２】同じく上面図である。
【図２３】前記加工板の屈曲部を示す平面図である。
【図２４】加工板を屈曲させた状態を示す正面図である。
【図２５】加工板をさらに屈曲させた状態を示す斜視図である。
【符号の説明】
【００４０】
１ａ、１ｂ：傾斜屋根、２ａ、２ｂ：下地材（野地板）、３ａ、３ｂ：谷面、４：谷樋板、５ａ、５ｂ：斜断面、６ａ、６ｂ：桟木、７ａ、７ｂ：斜断谷瓦、８：谷差し部材、９：短幅部、１０：本体、１１：短幅部、１２：折曲げ部、１３：瓦頭部隠蔽部、１３ａ：裏側平行片、１４：加工板、１５：切欠き、２０：スライド部材、２１：係止片、３０：上位谷差し部材、３３：瓦頭部隠蔽部、３３ａ：裏側平行片、５０：谷差し部材、６０：本体、６１：短幅部、６２：長辺部、６３：長辺部、６４：挟持部、６５：短幅部、６６：屈曲部、７０：三次元構造体、７１ａ、７１ｂ：取付け部、７２：瓦頭部隠蔽部、７２ａ：裏側平行片、９０：金属板材料、９１：加工板、９２：屈曲面部、９３：長辺部、９４ａ、９４ｂ：角形面部、９５：長辺部、９６ａ、９６ｂ：帯状面部、９７：切欠き、９８：隙間、１０１ａ、１０１ｂ：傾斜屋根、１０２ａ、１０２ｂ：下地材（野地板）、１０３ａ、１０３ｂ：谷面、１０４：谷樋板、１０５ａ、１０５ｂ：斜断面、１０６ａ、１０６ｂ：桟木、１０７ａ、１０７ｂ：斜断谷瓦、ｄ：間隔、Ａ：凹部、Ｖ：谷部、ｗ、Ｗ：横幅。
【図１】
2007138459.tif 000003
【図２】
2007138459.tif 000004
【図３】
2007138459.tif 000005
【図４】
2007138459.tif 000006
【図５】
2007138459.tif 000007
【図６】
2007138459.tif 000008
【図７】
2007138459.tif 000009
【図８】
2007138459.tif 000010
【図９】
2007138459.tif 000011
【図１０】
2007138459.tif 000012
【図１１】
2007138459.tif 000013
【図１２】
2007138459.tif 000014
【図１３】
2007138459.tif 000015
【図１４】
2007138459.tif 000016
【図１５】
2007138459.tif 000017
【図１６】
2007138459.tif 000018
【図１７】
2007138459.tif 000019
【図１８】
2007138459.tif 000020
【図１９】
2007138459.tif 000021
【図２０】
2007138459.tif 000022
【図２１】
2007138459.tif 000023
【図２２】
2007138459.tif 000024
【図２３】
2007138459.tif 000025
【図２４】
2007138459.tif 000026
【図２５】
2007138459.tif 000027